(57)【要約】【課題】状況に応じて視認性を調整できる表示調整装置等を提供する。【解決手段】対象物に記載された記載情報の画像を取得する画像取得手段と、記載情報の画像に対して、少なくとも２色で構成された記載表示に変更する表示変更手段と、を備え、表示変更手段が、記載表示の色を、記載表示を照らす照明手段（照明装置５）の光の色と、記載情報に要求される視認性のレベルとに応じて決定する（Ｓ２０、Ｓ２１）。【選択図】図１０
2018180273.tif 000002
【特許請求の範囲】
【請求項１】
対象物に記載された記載情報の画像を取得する画像取得手段と、
前記記載情報の画像に対して、少なくとも２色で構成された記載表示に変更する表示変更手段と、
を備え、
前記表示変更手段が、前記記載表示の色を、前記記載表示を照らす照明手段の光の色と、前記記載情報に要求される視認性のレベルとに応じて決定することを特徴とする表示調整装置。
【請求項２】
請求項１に記載の表示調整装置において、
前記表示変更手段が、前記記載情報を複数の色で色分けした前記記載表示に変更することを特徴とする表示調整装置。
【請求項３】
請求項２に記載の表示調整装置において、
前記表示変更手段が、前記記載情報を分割し、前記分割された記載情報を複数の色で色分けした前記記載表示に変更することを特徴とする表示調整装置。
【請求項４】
請求項１から３のいずれか１項に記載の表示調整装置において、
空隙を有し、前記対象物に記載された記載情報を覆い、少なくとも１の色で形成された重畳用パターンを複数生成する重畳用パターン生成手段と、
複数の前記重畳用パターンで前記記載情報を覆う場合には重ねて使用する前記重畳用パターンを、前記記載情報に要求される視認性のレベルおよび前記照明手段の光の色に応じて少なくとも一つ選択する重畳用パターン選択手段と、
前記選択した重畳用パターンにより前記記載情報を覆って、前記記載情報の視認性を調節する視認性調整手段と、
を更に備えることを特徴とする表示調整装置。
【請求項５】
請求項４に記載の表示調整装置において、
前記重畳用パターンが、複数の色のうち１の色で形成されたパターンであり、
前記重畳用パターン選択手段が、複数の前記重畳用パターンで前記記載情報を覆う場合には重ねて使用する前記重畳用パターンを、前記記載情報に要求される視認性のレベルおよび前記照明手段の光の色に応じて、前記重畳用パターンの色に基づき、少なくとも一つ選択することを特徴とする表示調整装置。
【請求項６】
請求項４または請求項５に記載の表示調整装置において、
前記重畳用パターンが、記号が並べられたパターンであることを特徴とする表示調整装置。
【請求項７】
画像取得手段が、対象物に記載された記載情報の画像を取得する画像取得ステップと、
表示変更手段が、前記記載情報の画像に対して、少なくとも２色で構成された記載表示に変更する表示変更ステップと、
を含み、
前記表示変更ステップにおいて、前記記載表示の色を、前記記載表示を照らす照明手段の光の色と、前記記載情報に要求される視認性のレベルとに応じて決定することを特徴とする表示調整方法。
【請求項８】
コンピュータを、
対象物に記載された記載情報の画像を取得する画像取得手段、および、
前記記載情報の画像に対して、少なくとも２色で構成された記載表示に変更する表示変更手段として機能させ、
前記表示変更手段が、前記記載表示の色を、前記記載表示を照らす照明手段の光の色と、前記記載情報に要求される視認性のレベルとに応じて決定することを特徴とする表示調整装置用のプログラム。
【請求項９】
対象物に記載された記載情報から生成された、少なくとも２色で構成された表示体であって、
前記表示体の色が、前記表示体を照らす照明手段の光の色と、前記記載情報に要求される視認性のレベルとに応じて決定されることを特徴とする表示体。
【発明の詳細な説明】
【技術分野】
【０００１】
本発明は、表示の視認性を調節する表示調整装置、表示調整方法、表示調整装置用のプログラム、および、表示体に関する。
【背景技術】
【０００２】
個人情報が含まれた紙媒体等の複数の書類の情報を電子データ化する際に作業者が介在して作業を行う場合、個人情報を隠したい場合がある。個人情報を隠す方法として、例えば、特許文献１には、原票等をスキャンすることで原票イメージを読込み、予め記憶されている分割登録表に従って所定の欄の情報に原票イメージを分割して、各分割部分を別々のコンピュータから入力することで、原票の情報の漏洩を防ぐ原票自動分割送受信整理システムが開示されている。
【先行技術文献】
【特許文献】
【０００３】
【特許文献１】特開２００９−１７７２４８号公報
【発明の概要】
【発明が解決しようとする課題】
【０００４】
上記従来の技術では、途中工程で分割した情報によりセキュリティを上げたとしても、分割された所定の欄の情報自体にも個人情報が含まれ、審査以外に、確認作業があったりと、様々な人の目にも触れる可能性があった。さらに、審査時や確認時には、視認性が高く、それ以外では、視認性を低くするので、同じ記載情報でも、状況に応じて視認性を変えたい要求もあった。
【０００５】
そこで、本発明は上記の問題点等に鑑みて為されたもので、その課題の一例は、状況に応じて視認性を調整できる表示調整装置等を提供することを目的とする。
【課題を解決するための手段】
【０００６】
上記の課題を解決するために、請求項１に記載の発明は、対象物に記載された記載情報の画像を取得する画像取得手段と、前記記載情報の画像に対して、少なくとも２色で構成された記載表示に変更する表示変更手段と、を備え、前記表示変更手段が、前記記載表示の色を、前記記載表示を照らす照明手段の光の色と、前記記載情報に要求される視認性のレベルとに応じて決定することを特徴とする。
【０００７】
また、請求項２に記載の発明は、請求項１に記載の表示調整装置において、前記表示変更手段が、前記記載情報を複数の色で色分けした前記記載表示に変更することを特徴とする。
【０００８】
また、請求項３に記載の発明は、請求項２に記載の表示調整装置において、前記表示変更手段が、前記記載情報を分割し、前記分割された記載情報を複数の色で色分けした前記記載表示に変更することを特徴とする。
【０００９】
また、請求項４に記載の発明は、請求項１から３のいずれか１項に記載の表示調整装置において、空隙を有し、前記対象物に記載された記載情報を覆い、少なくとも１の色で形成された重畳用パターンを複数生成する重畳用パターン生成手段と、複数の前記重畳用パターンで前記記載情報を覆う場合には重ねて使用する前記重畳用パターンを、前記記載情報に要求される視認性のレベルおよび前記照明手段の光の色に応じて少なくとも一つ選択する重畳用パターン選択手段と、前記選択した重畳用パターンにより前記記載情報を覆って、前記記載情報の視認性を調節する視認性調整手段と、を更に備えることを特徴とする。
【００１０】
また、請求項５に記載の発明は、請求項４に記載の表示調整装置において、前記重畳用パターンが、複数の色のうち１の色で形成されたパターンであり、前記重畳用パターン選択手段が、複数の前記重畳用パターンで前記記載情報を覆う場合には重ねて使用する前記重畳用パターンを、前記記載情報に要求される視認性のレベルおよび前記照明手段の光の色に応じて、前記重畳用パターンの色に基づき、少なくとも一つ選択することを特徴とする。
【００１１】
また、請求項６に記載の発明は、請求項４または請求項５に記載の表示調整装置において、前記重畳用パターンが、記号が並べられたパターンであることを特徴とする。
【００１２】
また、請求項７に記載の発明は、画像取得手段が、対象物に記載された記載情報の画像を取得する画像取得ステップと、表示変更手段が、前記記載情報の画像に対して、少なくとも２色で構成された記載表示に変更する表示変更ステップと、を含み、前記表示変更ステップにおいて、前記記載表示の色を、前記記載表示を照らす照明手段の光の色と、前記記載情報に要求される視認性のレベルとに応じて決定することを特徴とする。
【００１３】
また、請求項８に記載の発明は、コンピュータを、対象物に記載された記載情報の画像を取得する画像取得手段、および、前記記載情報の画像に対して、少なくとも２色で構成された記載表示に変更する表示変更手段として機能させ、前記表示変更手段が、前記記載表示の色を、前記記載表示を照らす照明手段の光の色と、前記記載情報に要求される視認性のレベルとに応じて決定することを特徴とする。
【００１４】
また、請求項９に記載の発明は、対象物に記載された記載情報から生成された、少なくとも２色で構成された表示体であって、前記表示体の色が、前記表示体を照らす照明手段の光の色と、前記記載情報に要求される視認性のレベルとに応じて決定されることを特徴とする。
【発明の効果】
【００１５】
本発明によれば、記載情報の画像に対して、記載表示を照らす照明手段の光の色と記載情報に要求される視認性のレベルとに応じて決定された色に、記載情報の色を変更することにより、対象物が置かれた照明の環境に応じて、視認性を調節できる。
【図面の簡単な説明】
【００１６】
【図１】本発明の実施形態に係る書類管理システムの概要構成例を示す模式図である。
【図２】書類の一例を示す模式図である。
【図３】書類の一例を示す模式図である。
【図４】図１の書類管理サーバの概要構成の一例を示すブロック図である。
【図５】項目と難易度との関係の一例を示す模式図である。
【図６】図１の書類管理サーバにおけるデータベースのデータの一例を示す模式図である。
【図７】図１の画像入力装置の概要構成の一例を示すブロック図である。
【図８】図１の照合端末装置の概要構成の一例を示すブロック図である。
【図９】図１の書類管理サーバおよび登録装置の動作例を示すシーケンス図である。
【図１０】図９の審査用画像の生成のサブルーチンを示すフローチャートである。
【図１１Ａ】分割された記載情報の一例を示す模式図である。
【図１１Ｂ】色分けされた記載表示の一例を示す模式図である。
【図１１Ｃ】色分けされた記載表示の一例を示す模式図である。
【図１１Ｄ】色分けされた記載表示の一例を示す模式図である。
【図１２Ａ】色つきのレイヤー画像の一例を示す模式図である。
【図１２Ｂ】色つきのレイヤー画像の一例を示す模式図である。
【図１２Ｃ】色つきのレイヤー画像の一例を示す模式図である。
【図１２Ｄ】色つきのレイヤー画像の一例を示す模式図である。
【図１３Ａ】重畳されたレイヤー画像の一例を示す模式図である。
【図１３Ｂ】重畳されたレイヤー画像の一例を示す模式図である。
【図１３Ｃ】重畳されたレイヤー画像の一例を示す模式図である。
【図１４】視認性を阻害した対象物の一例を示す模式図である。
【図１５】図１の書類管理サーバおよび照合端末装置の動作例を示すシーケンス図である。
【図１６Ａ】異なる照明光での対象物の視認性の違いを示す模式図である。
【図１６Ｂ】異なる照明光での対象物の視認性の違いを示す模式図である。
【図１６Ｃ】異なる照明光での対象物の視認性の違いを示す模式図である。
【図１７Ａ】異なる照明光での対象物の視認性の違いを示す模式図である。
【図１７Ｂ】異なる照明光での対象物の視認性の違いを示す模式図である。
【図１７Ｃ】異なる照明光での対象物の視認性の違いを示す模式図である。
【図１８】照明光での対象物の視認性の変化を示す模式図である。
【図１９Ａ】色分けされた記載表示の変形例を示す模式図である。
【図１９Ｂ】色つきのレイヤー画像により視認性を阻害した対象物の変形例を示す模式図である。
【図２０】重畳された色つきレイヤー画像の変形例を示す模式図である。
【図２１Ａ】対象物の変形例を示す模式図である。
【図２１Ｂ】対象物の変形例を示す模式図である。
【図２１Ｃ】対象物の変形例を示す模式図である。
【図２２Ａ】視認性を阻害した対象物の変形例を示す模式図である。
【図２２Ｂ】視認性を阻害した対象物の変形例を示す模式図である。
【図２２Ｃ】視認性を阻害した対象物の変形例を示す模式図である。
【図２３Ａ】色つきのレイヤー画像により視認性を阻害した対象物の変形例を示す模式図である。
【図２３Ｂ】色つきのレイヤー画像により視認性を阻害した対象物の変形例を示す模式図である。
【図２３Ｃ】色つきのレイヤー画像により視認性を阻害した対象物の変形例を示す模式図である。
【図２４Ａ】色つきのレイヤー画像により視認性を阻害した対象物の変形例を示す模式図である。
【図２４Ｂ】色つきのレイヤー画像により視認性を阻害した対象物の変形例を示す模式図である。
【図２４Ｃ】色つきのレイヤー画像により視認性を阻害した対象物の変形例を示す模式図である。
【図２５Ａ】色つきのレイヤー画像により視認性を阻害した対象物の変形例を示す模式図である。
【図２５Ｂ】色つきのレイヤー画像により視認性を阻害した対象物の変形例を示す模式図である。
【図２５Ｃ】色つきのレイヤー画像により視認性を阻害した対象物の変形例を示す模式図である。
【図２６Ａ】色つきのレイヤー画像により視認性を阻害した対象物の変形例を示す模式図である。
【図２６Ｂ】色つきのレイヤー画像により視認性を阻害した対象物の変形例を示す模式図である。
【図２６Ｃ】色つきのレイヤー画像により視認性を阻害した対象物の変形例を示す模式図である。
【００１７】
以下、図面を参照して本発明の実施形態について説明する。なお、以下に説明する実施の形態は、書類管理システムに対して本発明を適用した場合の実施形態である。
【００１８】
［１．書類管理システムの構成および機能概要］
（１．１  書類管理システムの構成および機能）
まず、本発明の一実施形態に係る書類管理システムの構成および概要機能について、図１から図３を用いて説明する。
【００１９】
図１は、本実施形態に係る書類管理システム１の概要構成例を示す模式図である。図２および図３は、書類の一例を示す模式図である。
【００２０】
図１に示すように、書類管理システム１は、書類（対象物の一例）に関する書類情報を管理する書類管理サーバ１０と、書類の画像を撮像して画像データを取り込む画像入力装置２０と、書類の項目の照合作業をする照合端末装置３０と、を備えている。
【００２１】
表示調整装置の一例である書類管理サーバ１０は、書類に記載された記載事項を記載表示に変更を加え、記載情報の視認性を調節する。書類管理サーバ１０は、画像入力装置２０、および、照合端末装置３０における作業を管理する。
【００２２】
画像入力装置２０は、顧客から預かった書類の画像を撮像する。
【００２３】
照合端末装置３０は、照合して審査するための書類の画像を表示する。照合端末装置３０は、各作業者に応じて、設置されている。書類や、書類の記載事項が審査用に加工され記載表示等の審査対象ｄ（表示体の一例）に対して照明装置５からの光が当てられている。照明装置５は、例えば、ＬＥＤ照明、蛍光灯、白熱灯、ナトリウムランプ、水銀ランプ等である。照明装置５は、所定の波長成分の光を放出し、この光のスペクトルに対応した照明色で、審査対象ｄを照らす。
【００２４】
書類管理サーバ１０、画像入力装置２０、および、照合端末装置３０は、ネットワーク３を介して、例えば、通信プロトコルにＴＣＰ／ＩＰ等を用いて相互にデータの送受信が可能になっている。なお、ネットワーク３は、例えば、ローカルエリアネットワーク、インターネット、専用通信回線（例えば、ＣＡＴＶ（Community Antenna Television）回線）、移動体通信網、およびゲートウェイ等により構築されている。
【００２５】
書類は、例えば、契約書等の申込書類、回答が記載されているアンケートである。また、本人を確認するための書類は、住民票、免許証、戸籍票、健康保険証、パスポート、領収書（例えば、電気、ガス等の公共料金の領収書のように氏名、住所が記載されたもの）、登記簿謄本、納品書等の書類である。
【００２６】
なお、対象物は、平面の紙やプラスティックのみならず、立体形状でもよく、対象物の表面に、読み取り可能な情報が記載されていればよい。対象物の一例として、乗車券、転写用のリボンでもよい。
【００２７】
また、書類情報の一例として、書類の画像データ、書類に記載された記載情報に対する視認性のレベルを調節した画像データ、画像データから作成されたテキストデータ、顧客に納品するための納品用のデータ等の電子データが挙げられる。
【００２８】
ここで、視認性のレベルとは、例えば、全く視認性が阻害されていないレベル、一瞥して分かるレベル、凝視して分かるレベル（一瞥では分からないレベル）、判別不可能なレベル等の４段階である。なお、さらに細かくレベル分けしてもよい。例えば、平均１秒で分かるレベル、平均３秒で分かるレベル、平均５秒で分かるレベル、平均１０秒で分かるレベル、平均３０秒以上で分かるレベル等である。また、重ねる重畳用パターンの空隙率により、視認性のレベルを分けてもよい。視認性のレベルは、視認を阻害する視認阻害レベルに対応する。
【００２９】
書類の種別の一例として、契約書、住民票、免許証等の種別が挙げられる。さらに、書類の種別は、契約書の場合、顧客毎の契約書のフォーマット毎、住民票の場合、各市町村のフォーマット毎に分類される。
【００３０】
図２に示すように、書類が契約書の場合、書類の表面に、契約内容、氏名、住所、電話番号等が記載されている。同じ形式の契約書の共通領域Ｃとして、契約内容、氏名の項目、住所の項目、電話番号の項目、印鑑証明用印影の項目（図示せず）等が挙げられる。契約書の非共通領域ＮＣとして、個人情報である氏名、住所、電話番号等が挙げられる。なお、共通領域は、同じ形式の書類に関して、共通している共通フォーマットの部分である。非共通領域は、同じ形式の書類に関して、申請者毎に異なる部分である。
【００３１】
図３に示すように、書類が住民票の場合、書類の表面に、市町村名、住所、氏名、生年月日、性別等が記載されている。ある市町村の形式（書類に応じた所定の形式の一例）の住民票の共通領域として、書類の名称、市町村名、住所の項目、氏名の項目、生年月日の項目、性別の項目等が挙げられる。住民票の非共通領域として、個人情報である住所、氏名、生年月日、性別等が挙げられる。なお、書類が住民票の場合、市町村により記載の形式が異なる。
【００３２】
チェックされる書類は、契約書と本人を確認するための書類との関連する複数の書類として送付されてくる。ここで、関連する複数の書類は、一個人や、一法人において関連する複数の書類である。同一の個人または同一の法人に関する少なくとも２以上の書類である。例えば、一個人や、一法人における、契約書等の申込書類、本人を確認するための書類（住民票、免許証、戸籍票、健康保険証、パスポート、領収書）、納品書等の書類等から少なくとも２以上の書類である。関連する複数の書類の一例として、例えば、契約書、住民票、および、免許証の組み合わせ、契約書、住民票、および、パスポートの組み合わせ、申込書類、および、健康保険証の組み合わせ、申込書類、領収証、契約書、および、登記簿謄本の組み合わせ等が挙げられる。これら関連する複数の書類は、例えば、書類のセットが同封された封筒で送られてくる。
【００３３】
なお、氏名、住所等が記載される非共通領域は、記載領域の一例である。また、記載された内容は、記載情報の一例である。氏名の項目、住所の項目、電話番号の項目、印鑑証明用印影の項目、生年月日の項目、性別の項目等に対して記載された情報が、書類の各記載情報である。これら各項目に記載された情報が、一塊の記載情報である。
【００３４】
各項目にセキュリティレベルが設定されている。各項目に対するセキュリティレベルは、最重要情報、重要情報、秘匿不要情報等に応じたレベル分けがされている。
【００３５】
視認性のレベルは、セキュリティレベルに対応させてもよい。セキュリティレベルが最も高い項目は、判別不可能なレベルというように視認性のレベルを低くする。セキュリティレベルが中程度の項目は、凝視して分かる視認性のレベルにする。セキュリティレベルが低い項目は、凝視しなくても分かる視認性レベルにする。
【００３６】
（１．２  書類管理サーバ１０の構成および機能）
次に、書類管理サーバ１０の構成および機能について、図４から図６を用いて説明する。
【００３７】
図４は、書類管理サーバ１０の概要構成の一例を示すブロック図である。図５は、項目と難易度との関係の一例を示す模式図である。図６は、書類管理サーバ１０におけるデータベースのデータの一例を示す模式図である。
【００３８】
図４に示すように、コンピュータである書類管理サーバ１０は、書類管理サーバ１０を制御する制御部１１と、様々なデータベースを有する記憶部１２と、画像入力装置２０および各照合端末装置３０と通信する通信部１３と、管理情報等を表示する出力部１４と、入力を受け付ける操作部１５と、を備えている。
【００３９】
制御部１１は、例えば、ＣＰＵ（Central Processing Unit）と、ＲＯＭ（Read Only Memory）と、ＲＡＭ（Random Access Memory）とを有する。制御部１１は、ＣＰＵが、ＲＯＭや、ＲＡＭに記憶された各種制御プログラムを読み出して実行する。制御部１１が、書類管理サーバ１０の各部（記憶部１２、通信部１３、出力部１４等）を制御する。なお、これらのプログラムを記憶した記録媒体等を制御部１１が読み出し実行してもよい。
【００４０】
記憶部１２は、例えば、ハードディスクドライブ等により構成されている。記憶部１２には、予め登録しておくデータを記憶した登録データベース１２ａ、作業者のレベル等を記憶した作業者データベース１２ｂ、撮像された書類の画像データおよび審査用画像等を記憶した画像データベース１２ｃ、書類の項目を照合した作業者等を記憶した作業結果データベース１２ｄ、書類の審査結果を記憶した審査結果データベース１２ｅ等が構築されている。
【００４１】
登録データベース１２ａには、書類種別用の登録データベースとして書類種別コードに関連付けられて、住民票、免許証、契約書等の書類の種別が記録されている。さらに、登録データベース１２ａには、住民票に対して、市町村名、契約書に対して、顧客名等が記憶されている。
【００４２】
また、登録データベース１２ａには、顧客毎の契約書、各市町村の住民票等に関する様々なテンプレートが記憶されている。
【００４３】
また、登録データベース１２ａには、項目の難易度用の登録データベースとして、図５に示すように、各項目に対する照合の難易度の情報が記憶されている。性別は、男／女、またはＭ／Ｆであるので、照合が楽であるが、氏名の場合、異字があり、住所の場合は、書き方がいくつかあり、照合が難しくなる。また、例えば、氏名は、”氏名  ○○”、”被保険者名  ○○”、”世帯主  ○○”、”被扶養者  ○○”と、記載の仕方が異なることもあり、照合が難しくなる。登録データベース１２ａには、項目毎に、セキュリティレベルが登録されている。なお、項目および作業者に応じて、セキュリティレベルを変化させてもよい。
【００４４】
また、登録データベース１２ａには、顧客ＩＤに関連付けられて、顧客名、納品後の書類の裁断の有無、等の情報が記憶されている。
【００４５】
また、作業者データベース１２ｂには、図６に示すように、作業者ＩＤ毎に、作業レベルが記憶されている。なお、作業レベルは、作業者の習熟度、適正等により決定される。作業レベルは、例えば、”Ａ”、”Ｂ”、”Ｃ”等に分類される。なお、作業者ＩＤは、ログインＩＤおよびパスワード、作業者が携帯しているＩＣカードや、名札に印刷されたコード等に関連付けられている。
【００４６】
また、画像データベース１２ｃには、書類ＩＤ毎に、撮像された画像データ、画像データから審査用に視認性を阻害した審査用画像等が記憶されている。審査用画像は、項目に関連付けられて、画像データベース１２ｃには、記憶されている。なお、画像データと審査用画像とは別々データベースでもよい。また、書類ＩＤは、書類ＩＤの他に、書類の特徴量、作業ＩＤ等の書類を特定できるＩＤならばよい。
【００４７】
また、作業結果データベース１２ｄには、包袋ＩＤおよび項目ＩＤに関連付けられて、項目を照合した作業者の作業者ＩＤ、照合に使用した書類の書類ＩＤ、書類において、どの部分を照合に使用したかの選択情報等が記憶されている。
【００４８】
また、審査結果データベース１２ｅには、包袋ＩＤおよび項目ＩＤに関連付けられて、項目を照合した作業者の作業者ＩＤおよび審査結果が記憶されている。審査結果は、例えば、セットの書類に記載された内容が同一であるかの照合結果や、記載の有無のデータである。また、審査結果データベース１２ｅには、住民票等から読み取られたテキストデータが記憶されていてもよい。
【００４９】
同じ書類管理サーバ１０の同じデータベースにより管理されてもよいし、それぞれのデータベースが、別の管理サーバのデータベースに記憶されてもよい。
【００５０】
また、記憶部１２には、オペレーティングシステムおよびサーバプログラム等の各種プログラムが記憶されていてもよい。なお、各種プログラムは、例えば、他のサーバ等からネットワーク３を介して取得されるようにしてもよいし、記録媒体に記録されてドライブ装置を介して読み込まれるようにしてもよい。
【００５１】
通信部１３は、ネットワーク３に接続して、画像入力装置２０、および、照合端末装置３０との通信を制御する。
【００５２】
出力部１４は、例えば、液晶表示素子またはＥＬ（Electro Luminescence）素子等によって構成されている。
【００５３】
出力部１４（表示体の一例）は、反射型のカラー液晶素子を有し、外光を光源とする反射型のディスプレイでもよい。なお、出力部１４は、反射型および透過型を組み合わせたディスプレイであってもよく、照明手段により白色以外の所定の色の光りを照明する場合、反射型のみが機能するようにしてもよい。出力部１４には、記載表示の一例である審査用画像が表示される。
【００５４】
さらに、出力部１４は、プリンタを有する。出力部１４は、書類の記載情報を色分けした画像、書類の記載情報に色つきの重畳用パターンを重畳した画像等の審査用画像（記載表示の一例、表示体の一例）を印刷してもよい。なお、審査用画像が印刷された紙等が表示体の一例である。
【００５５】
操作部１５は、例えばキーボードおよびマウス等によって構成されている。
【００５６】
（１．３  画像入力装置２０の構成および機能）
次に、画像入力装置２０の構成および機能について、図７を用いて説明する。なお、書類管理サーバ１０と異なる構成および機能について、主に説明する。
【００５７】
図７は、画像入力装置２０の概要構成の一例を示すブロック図である。
【００５８】
図７に示すように、コンピュータとして機能する画像入力装置２０は、制御部２１と、記憶部２２と、通信部２３と、出力部２４と、操作部２５と、撮像部２６と、を備えている。
【００５９】
制御部２１は、ＣＰＵと、ＲＯＭと、ＲＡＭと、を有し、画像入力装置２０を制御する。制御部２１は、ＣＰＵが、ＲＯＭや、ＲＡＭに記憶された各種制御プログラムを読み出して実行する。なお、これらのプログラムを記憶した記録媒体等を制御部２１が読み出し実行してもよい。
【００６０】
記憶部２２は、ハードディスクドライブ等により構成されていて、各種プログラムを記憶する。
【００６１】
通信部２３は、ネットワーク３を通して、書類管理サーバ１０等との通信を制御する。
【００６２】
出力部２４は、例えば、液晶表示素子またはＥＬ素子により構成されていて、撮像した画像が表示される。
【００６３】
操作部２５は、例えば、キーボードおよびマウス等によって構成されている。
【００６４】
撮像部２６は、例えば、ＣＣＤ（Charge Coupled Device）イメージセンサやＣＭＯＳ（Complementary Metal Oxide Semiconductor）イメージセンサ等の撮像素子を有するデジタルカメラである。
【００６５】
なお、撮像部２６は、複数のデジタルカメラにより構成されていてもよい。テーブルの上に、書類（例えば、契約書、住民票等）が複数並べられ、解像度を上げるために、各書類を部分的に区切って、複数のデジタルカメラにより撮像する。なお、撮像部２６は、スキャナでもよく、書類をスキャニングして撮像する。
【００６６】
（１．４  照合端末装置３０の構成および機能）
次に、照合端末装置３０の構成および機能について、図８を用いて説明する。
【００６７】
図８に示すように、コンピュータとして機能する照合端末装置３０は、例えば、パーソナルコンピュータやスマートフォンを含む携帯型無線電話機やＰＤＡ等の携帯端末であり、制御部３１と、記憶部３２と、通信部３３と、出力部３４と、操作部３５と、を備えている。
【００６８】
制御部３１は、制御部２１と同様の構成を有し、照合端末装置３０を制御する。記憶部３２は、記憶部２２と同様の構成を有し、各種プログラムを記憶する。通信部３３は、書類管理サーバ１０等との通信を制御する。
【００６９】
出力部３４（表示体の一例）は、例えば、外光を光源とする反射型のディスプレイである。出力部３４は、反射型のカラー液晶素子を有する。なお、反射型および透過型を組み合わせたディスプレイであってもよく、照明装置５により白色以外の所定の色の光を照明する場合、反射型のみが機能するようにしてもよい。出力部３４には、記載表示の一例である審査用画像が表示される。
【００７０】
出力部３４は、カラープリンターでよく、出力部３４が、審査用画像（記載表示の一例、表示体の一例）を印刷してもよい。なお、審査用画像が印刷された紙等が表示体の一例である。
【００７１】
［２．書類管理システムの動作］
次に、本発明の１実施形態に係る書類管理システムの動作について図を用いて説明する。
【００７２】
（２．１  書類管理サーバおよび画像入力装置の動作例）
書類管理サーバおよび画像入力装置の動作例について、図９を用いて説明する。
【００７３】
図９は、書類管理サーバ１０および画像入力装置２０の動作例を示すシーケンス図である。
【００７４】
図９に示すように、画像入力装置２０は、書類画像を入力する（ステップＳ１０）。画像入力装置２０の制御部２１が、撮像部２６により書類を撮像して書類画像を入力する。例えば、作業者が、画像入力スイッチを踏むと、制御部２１が、テーブルに複数並べられて設置されている書類を、デジタルカメラを撮像する。
【００７５】
なお、制御部２１が、撮像する書類の顧客名の入力を受け付けてもよい。また、制御部２１が、書類のセットの各書類の種別の入力を受け付けてもよい。また、制御部２１が、包袋ＩＤ、書類ＩＤとして、自動的に、受付番号、作業番号等を生成してもよいし、受付番号、作業番号等の入力を受け付けてもよい。
【００７６】
次に、画像入力装置２０は、画像データの補正を行う（ステップＳ１１）。具体的には、制御部２１が、撮像された画像データの傾き等を補正する。例えば、制御部２１が、画像処理により画像における書類の枠を検出し、傾きを補正する。
【００７７】
次に、画像入力装置２０は、画像が適切に撮像されたか否かの判定を行う（ステップＳ１２）。具体的には、制御部２１が、書類の折れや欠け等を検出し、折れの度合いや、欠けの割合が所定値以上の場合、画像が適切に撮像されてないと判定する。また、撮像した書類の枚数が、規定数でない場合も、制御部２１が、画像が適切に撮像されていないと判定する。なお、制御部２１が、出力部２４の画面に、撮像した書類を表示して、作業者が確認して、画像が適切に撮像されたか否かの入力を、制御部２１が、操作部２５を介して、受け付けてもよい。
【００７８】
画像が適切に撮像された場合（ステップＳ１２；ＹＥＳ）、画像入力装置２０は、撮像した画像を送信する（ステップＳ１３）。具体的には、制御部２１が、通信部２３を介して、画像データを、書類管理サーバ１０に送信する。
【００７９】
画像が適切に撮像されていない場合（ステップＳ１２；ＮＯ）、画像入力装置２０は、ステップＳ１０の処理に戻る。
【００８０】
次に、画像入力装置２０は、画像データを消去する（ステップＳ１４）。具体的には、制御部２１が、画像データを送信した後に、記憶部２２やＲＡＭ等から撮像した画像データを消去する。
【００８１】
次に、書類管理サーバ１０は、画像を登録する（ステップＳ１５）。具体的には、制御部１１が、画像データを画像入力装置２０から受信する。制御部１１が、受信した画像データを、画像データベース１２ｃに記憶する。
【００８２】
書類管理サーバ１０は、対象物に記載された記載情報の画像を取得する画像取得手段の一例として機能する。
【００８３】
次に、書類管理サーバ１０は、審査用画像を生成する（ステップＳ１６）。具体的には、制御部１１が、後述の審査用画像生成のサブルーチンにより、審査用画像を生成して、審査用画像を画像データベース１２ｃに記憶する。
【００８４】
書類管理サーバ１０は、前記記載情報の画像に対して、少なくとも２色で構成された記載表示に変更する表示変更手段の一例として機能する。
【００８５】
（２．２  審査用画像の生成のサブルーチン）
次に、審査用画像の生成のサブルーチンについて図１０から図１４を用いて説明する。
【００８６】
図１０は、審査用画像の生成のサブルーチンを示すフローチャートである。図１１Ａは、分割された記載情報の一例を示す模式図である。図１１Ｂから図１１Ｄは、色分けされた記載表示の一例を示す模式図である。図１２Ａから図１２Ｄは、色つきのレイヤー画像の一例を示す模式図である。図１３Ａから１３Ｃは、重畳されたレイヤー画像の一例を示す模式図である。図１４は、視認性を阻害した対象物の一例を示す模式図である。
【００８７】
図１０に示すように、書類管理サーバ１０は、視認性レベルと照明色とに応じて、記載部分の色と背景色とを設定する（ステップＳ２０）。まず、書類管理サーバ１０の制御部１１が、図１１Ａに示すように、記載情報が記載された領域を書類から切り出し、記載情報の部分を抽出する。例えば、制御部１１が、画像処理の微分処理をして、英数字、特殊記号等を含む記号の輪郭部分を求め、記載情報の部分の画素を抜き出すトリミング処理を行う。
【００８８】
制御部１１が、図１１Ａに示すように、例えば、各記号が上下に分割する。各記号をどのくらい分割するかの分割数は、視認性レベルによって決めてもよい。なお、分割された記号の部分を離して、元の記号をわかりにくくしてもよい。
【００８９】
図１１Ｂから図１１Ｄに示すように、制御部１１が、視認性レベルと、使用する照明色とに応じて、分割された各部分に異なる色を設定する。なお、使用する照明色は、審査用の照明色、確認用の照明色等、使用する環境に応じて設定される。
【００９０】
図１１Ｃ、図１１Ｄに示すように、制御部１１は、背景色を変えてもよい。背景色が青色の場合、ナトリウムランプの照明により、背景が黒色になる。
【００９１】
ここで、例えば、２４色相環の場合、低圧ナトリウムランプの照明により、色相番号１３−１８の色（色相番号１７、１８が青色）および黒色が黒色になり、色相番号１１、１２、１９、２０、２１、２２の色（色相番号１２の色が緑色）がダークブラウンになり、色相番号１、２、１０、２３、２４の色（色相番号２の色が赤色、色相番号１０の色が黄緑色、色相番号２２の色が紫色）がライトブラウンになり、色相番号３、９の色がダークイエローになり、色相番号４−８の色（色相番号５の色が橙色、色相番号８の色が黄色）および白色がライトイエローになる。
【００９２】
次に、書類管理サーバ１０は、色の変更を行う（ステップＳ２１）。制御部１１が、設定された色で、分割された各部分、または、背景部分を塗り潰すペイントの画像処理を行う。
【００９３】
なお、図３に示すような書類において、書類管理サーバ１０は、一部の記載事項のみの色を変えてもよい。例えば、制御部１１が、氏名の記載情報のみを、緑色に変える。
【００９４】
書類管理サーバ１０は、前記記載表示の色を、前記記載表示を照らす照明手段の光の色と、前記記載情報に要求される視認性のレベルとに応じて決定する表示変更手段の一例として機能する。書類管理サーバ１０は、前記記載情報を複数の色で色分けした前記記載表示に変更する表示変更手段の一例として機能する。書類管理サーバ１０は、前記記載情報を分割し、前記分割された記載情報を複数の色で色分けした前記記載表示に変更する表示変更手段の一例として機能する。
【００９５】
次に、書類管理サーバ１０は、レイヤー画像が必要か否かの判定を行う（ステップＳ２２）。例えば、登録データベース１２ａを参照して、セキュリティを高めたい記載情報の部分に関して、視認性レベルを落とす必要がある場合、制御部１１が、レイヤー画像を必要と判断する。
【００９６】
なお、色つきのレイヤー画像を重畳させるだけで視認性レベルを調整させる場合、書類管理サーバ１０は、ステップＳ２０およびステップＳ２１の処理を行わなくてもよい。
【００９７】
また、書類管理サーバ１０は、氏名、住所等の書類の項目毎に、色つきのレイヤー画像を重畳させる否かを判定してもよい。
【００９８】
レイヤー画像が必要である場合（ステップＳ２２；ＹＥＳ）、書類管理サーバ１０は、視認性レベルと照明色とに応じて、色つきのレイヤー画像を生成する（ステップＳ２３）。
【００９９】
まず、制御部１１が、重畳用パターンの一例である色つきのレイヤー画像を生成する。例えば、制御部１１が、ランダムな文字列からレイヤー画像を生成する。図１２Ａから図１２Ｄに示すように、記号の一例である、英数字、特殊記号等を含む文字列を、所定の色で、所定の枠内を埋め尽くすように、制御部１１が、レイヤー画像を生成する。
【０１００】
なお、レイヤー画像の色は、後から画像処理により色を変えてもよい。また、色は、原色でも中間色でもよい。また、生成される文字毎に色を変えてもよい。
【０１０１】
レイヤー画像は、図１２Ｂに示すように、フォントサイズを変えたり、図１２Ｃに示すように、縦書きにしたり、図１２Ｄに示すように、文字を上下逆向きにした文字列でもよい。また、記号の一例である文字の字体を変えてもよい。また、レイヤー画像は、モザイク画像でもよい。これらのように、レイヤー画像の種類は、様々であるが、レイヤー画像は、一定の空隙を有すればよい。
【０１０２】
書類管理サーバ１０は、空隙を有し、前記対象物に記載された記載情報を覆い、少なくとも１の色で形成された重畳用パターンを複数生成する重畳用パターン生成手段の一例として機能する。
【０１０３】
ここで、色つきの重畳用パターンを２重に重畳した一例として、図１２Ａの青色のレイヤー画像と図１２Ｂの赤色のレイヤー画像とを重畳した、図１３Ａに示すような画像の重畳用パターンが挙げられる。図１３Ａに示すように、青色のレイヤー画像の上に、赤色のレイヤー画像を重ねた場合、青色の記号の一部が消えて、赤色の記号の一部が載ることになる。
【０１０４】
色つきの重畳用パターンを３重に重畳した一例として、図１３Ａの重畳用画像と図１２Ｃの緑色のレイヤー画像とを重畳した、図１３Ｂに示すような画像（すなわち、図１２Ａから図１２Ｃのレイヤー画像を重畳した画像）の重畳用パターンが挙げられる。図１２Ｂに示すように、２重の重畳用画像の上に、緑色のレイヤー画像を重ねた場合、２重の重畳用画像の記号の一部が消えて、緑色の記号の一部が載ることになる。
【０１０５】
さらに、重畳用パターンを４重に重畳した一例として、図１３Ｂの重畳用画像と図１２Ｄの黄色のレイヤー画像とを重畳した、図１３Ｃに示すような画像（すなわち、図１２Ａから図１２Ｄのレイヤー画像を重畳した画像）の重畳用パターンが挙げられる。図１３Ｃに示すように、３重の重畳用画像の上に、黄色のレイヤー画像を重ねた場合、３重の重畳用画像の記号の一部が消えて、黄色の記号の一部が載ることになる。
【０１０６】
重ねる順番は、逆でもよく、例えば、図１２Ｂの赤色のレイヤー画像の上に図１２Ａの青色のレイヤー画像を重畳してもよい。この場合、赤色の記号の一部が消えて、青色の記号の一部が載ることになる。記号同士が重なった部分は、中間色（例えば、赤色と青色の混合色である紫色）にしてもよい。
【０１０７】
所定の照明色において、視認性レベルを下げたい場合、例えば、背景色が白色、記載情報が黒色で、青色、緑色等のレイヤー画像のであると、ナトリウムランプのように黄色っぽい照明色の下では、記載情報が、同じ黒っぽい色で覆われ、視認性が低下する。
【０１０８】
所定の照明色において、視認性レベルを上げたい場合、例えば、背景色が白色、記載情報が黒色で、橙色、黄色等のレイヤー画像のであると、ナトリウムランプのように黄色っぽい照明色の下では、レイヤー画像が、背景色に近くなり、視認性が向上しやすい。
【０１０９】
これらのように、書類管理サーバ１０は、照明色に対して、記載情報の色、背景色との関係から、記載情報に要求される視認性レベル（またはセキュリティレベル）に合った、レイヤー画像に使用する色を決定する。また、書類管理サーバ１０は、登録データベース１２ａを参照して、書類の各項目に設定されているセキュリティレベルに応じて、レイヤー画像の重畳数、レイヤー画像の色、レイヤー画像の種類等を設定して、レイヤー画像を生成する。
【０１１０】
なお、上記に挙げた配色の数、配色の順番は、一例に過ぎず、様々な配色が可能である。また、重畳される文字の色と、重畳するレイヤーの色との組み合わせも様々である。重畳される文字の色と、重畳するレイヤーの色とが同じ、または、類似であると、視認性が悪くなる。
【０１１１】
書類管理サーバ１０は、複数の前記重畳用パターンで前記記載情報を覆う場合には重ねて使用する前記重畳用パターンを、前記記載情報に要求される視認性のレベルに応じて少なくとも一つ選択する重畳用パターン選択手段の一例として機能する。
【０１１２】
次に、書類管理サーバ１０は、レイヤー画像を重畳する（ステップＳ２４）。具体的には、制御部１１が、ステップＳ２０およびステップＳ２１で色分けされたり、背景色が変更された記載情報に対して、レイヤー画像を重畳する。制御部１１が、ステップＳ２０およびステップＳ２１の処理がされない記載情報に対して、レイヤー画像を重畳してもよい。
【０１１３】
例えば、図１４に示すように、ステップＳ２０およびステップＳ２１において緑色の記載表示に変更された氏名の記載情報の部分に、制御部１１が、黄色および橙色のレイヤー画像を重畳させる。
【０１１４】
また、図１４に示すように、色が変更された住所の記載情報の部分に、制御部１１が、赤色および黒色のレイヤー画像を重畳させる。このように、制御部１１が、秘匿する必要がない部分には、レイヤー画像を重畳させなく、記載情報の一部にレイヤー画像を重畳してもよい。例えば、住所の都道府県は、隠されなくてもよい。
【０１１５】
ここで、重畳の仕方は、例えば、制御部１１が、レイヤー画像を２値化して、白色部分を切り抜き処理し、黒色等の部分のパターンのみを抽出する。次に、制御部１１が、抽出した部分のパターンの画像を重畳して、合成した画像を生成する。なお、黒色等の部分のパターン以外の背景画像が、透明化または透過処理されてもよいし、黒色等の部分のパターンの画素の位置情報が抽出されてもよい。ＯＣＲ（Optical Character Recognition）により、黒色等の部分のパターンのみが抽出されてもよい。何かしらのコード情報化できればよいので、ＯＣＲの認識率は低くてもよい。
【０１１６】
レイヤー画像が必要ない場合（ステップＳ２２；ＮＯ）、書類管理サーバ１０は、審査用画像を記憶する（ステップＳ２５）。具体的には、制御部１１が、レイヤー画像を重畳していない審査用画像（記載表示の一例、表示体の一例）を、画像データベース１２ｃに記憶する。例えば、図１１Ｂから図１１Ｄに示すような審査画像を、制御部１１が、画像データベース１２ｃに記憶する。
【０１１７】
または、ステップＳ２４の処理の後、書類管理サーバ１０は、審査用画像を記憶する（ステップＳ２５）。具体的には、制御部１１が、レイヤー画像を重畳した審査用画像（記載表示の一例、表示体の一例）を、画像データベース１２ｃに記憶する。
【０１１８】
なお、レイヤー画像が重畳された画像と、レイヤー画像が重畳されていない画像とが混在した審査用画像（記載表示の一例、表示体の一例）でもよい。図１４に示すように、部分的にレイヤー画像が重畳された部分と、レイヤー画像が重畳されていない部分とが混在した審査画像でもよい。
【０１１９】
少なくとも２色で構成された記載表示の一例として、図１１Ａから図１１Ｄ、および、図１４に示すような記載表示が挙げられる。また、少なくとも２色で構成された記載表示の一例として、青色の背景に緑色の記号が記載されている場合（色は逆のでもよい）、黄色の背景に橙色の記号が記載されている場合（色は逆でもよい）のように、背景色と記号の色とが所定色の照明で、視認性が変化すればよい。
【０１２０】
また、複数の色で色分けした記載表示の一例として、図１１Ｂ、図１１Ｃ、図１１Ｄ、図１４に示すような記載表示が挙げられる。
【０１２１】
分割された記載情報を複数の色で色分けした記載表示の一例として、図１１Ｂ、図１１Ｃ、図１１Ｄ、図１４に示すように、記号を分割して、色分けした記載表示が挙げられる。
【０１２２】
なお、ステップＳ２３のレイヤー画像の生成処理およびステップＳ２４の重畳処理は、レイヤー画像を重ねたり、削除したりして、視認性を確認しながら、逐次的に重畳するレイヤー画像を決定してもよい。
【０１２３】
例えば、書類管理サーバ１０は、生成した色つきのレイヤー画像を記載情報に重畳して表示し、表示に対する視認性のレベルの入力を受け付け、視認性のレベルが適正か否かを判定する。書類管理サーバ１０は、視認性のレベルが適正である場合、ステップＳ２５において、記載情報に色つきのレイヤー画像を重畳した画像を、審査用画像として記憶する。書類管理サーバ１０は、視認性のレベルが適正でない場合、視認性が高い否かを判定する。
【０１２４】
視認性が上限を越えている場合、書類管理サーバ１０は、色つきのレイヤー画像を１層付加し表示して、表示に対する視認性のレベルの入力を受け付ける処理に戻る。視認性が上限を越えていない場合、書類管理サーバ１０は、色つきのレイヤー画像を１層除去し表示して、表示に対する視認性のレベルの入力を受け付ける処理に戻る。適正な視認性のレベルになるまで、色つきのレイヤー画像の付加、または、除去の処理を繰り返す。最終的に、記載情報に要求される視認性のレベルに応じた重畳用パターンが選択される。また、選択した重畳用パターンにより記載情報が覆われ、記載情報の視認性が調節される。
【０１２５】
更に具体的には、書類管理サーバ１０は、視認性のレベルの入力を受け付ける処理において、例えば、出力部１４に表示された重畳画像を作業者が見て、操作部１５を介して、視認性のレベルを入力する。項目毎に、視認性のレベルが入力されるようになっていてもよい。また、項目毎に異なる視認性のレベル（または、異なるセキュリティレベル）が設定されていてもよい。
【０１２６】
書類管理サーバ１０は、前記対象物に記載されている複数の記載情報において異なる視認性のレベルが設定されている場合、前記記載情報毎に設定されている視認性のレベルに応じて、前記重畳用パターンを選択する重畳用パターン選択手段の一例として機能する。書類管理サーバ１０は、前記記載情報毎の視認性を調節する視認性調整手段の一例として機能する。
【０１２７】
なお、図１４のように、書類全体が見える状態で、記載情報にレイヤー画像を重畳させた重畳画像を、作業者に見せてもよい。また、作業者に所定の項目（例えば、氏名の項目）のみが見られるように開口部を設けてもよい。開口部以外の記載情報を、一瞥して分かるレベルのレイヤー画像（例えば、性別の項目）、凝視して分かるレベルのレイヤー画像（例えば、生年月日の項目）、判別不可能なレベルのレイヤー画像（例えば、住所の項目）等により視認性を阻害してもよい。さらに、開口部の記載情報にレイヤー画像を重畳させてもよい。また、項目毎に分割された記載情報に対して、レイヤー画像を重畳させた画像を、作業者に見せてもよい。
【０１２８】
また、書類管理サーバ１０は、視認性のレベルが適正か否かを判定する処理において、制御部１１が、入力された視認性のレベルと、項目に設定されているセキュリティレベルとを比較して、適正の範囲であるか否かを判定する。例えば、凝視して分かる視認性のレベルが適正レベルで、判定結果が、判別不可能なレベルの場合、制御部１１が、視認性が低いと判定する。凝視して分かる視認性のレベルが適正レベルで、判定結果が、凝視しなくても分かるレベルの場合、制御部１１が、視認性が高いと判定する。
【０１２９】
書類管理サーバ１０は、前記記載情報に前記重畳用パターンを重ねたときの前記視認性を判定する視認性判定手段の一例として機能する。
【０１３０】
なお、制御部１１が、合成した画像の画素のヒストグラムから、空隙率を算出し、所定の範囲内の空隙率であるか否かを判定してもよい。また、制御部１１が、視認性のレベルに対する判定結果の入力を受け付けて、判定結果に従い、適正か否かを判定してもよい。
【０１３１】
書類管理サーバ１０は、色つきのレイヤー画像を１層付加する処理において、制御部１１が、重畳画像に、１つの色つきのレイヤー画像をさらに重畳する。なお、制御部１１が、色つきのレイヤー画像を新たに生成して、重畳してもよい。
【０１３２】
書類管理サーバ１０は、付加または除去するレイヤー画像を、レイヤー画像の色に基づいて決定してもよい。例えば、重ねた色とは異なる色のレイヤー画像を付加する。
【０１３３】
書類管理サーバ１０は、レイヤー画像を１層除去する処理において、制御部１１が、重畳してあるレイヤー画像のいずれかを除去する。なお、適正な視認性のレベルの重畳画像が生成されるまで、元の重畳画像および重畳したあるレイヤー画像の情報は記憶部１２やＲＡＭにキャッシュされている。
【０１３４】
なお、審査用画像の生成は、書類を管理する書類管理サーバ１０でなく、表示調整するための端末装置であってもよい。
【０１３５】
また、審査用画像の生成において、レイヤー画像を１層ずづ、付加したり、除去したりするのではなく、書類管理サーバ１０が、項目に要求される視認性のレベルおよび照明色に基づき、所定の層数の色つきのレイヤー画像を、書類の画像に重畳してもよい。
【０１３６】
書類管理サーバ１０が、出力部１４により、紙等に印刷してもよい。特に、ステップＳ２５において記憶する前に、確認するために、書類管理サーバ１０が印刷して、印刷物をみた作業者からの視認性のレベルの判定を受け付けてもよい。
【０１３７】
（２．３  書類管理サーバおよび照合端末装置の動作例）
次に、管書類理サーバおよび照合端末装置の動作例について、図１５から図１８を用いて説明する。
【０１３８】
図１５は、書類管理サーバ１０および照合端末装置３０の動作例を示すシーケンス図である。図１６Ａから図１７Ｄは、異なる照明光での対象物の視認性の違いを示す模式図である。図１８は、照明光での対象物の視認性の変化を示す模式図である。
【０１３９】
図１５に示すように、照合端末装置３０は、作業者情報の入力を受け付ける（ステップＳ３０）。具体的には、照合端末装置３０の制御部３１が、作業者情報として、操作部３５からログインＩＤおよびパスワードを受け付ける。なお、読み取り機により、作業者が携帯しているＩＣカードや、名札に印刷されたコードから、制御部３１が、作業者情報を受け付けてもよい。制御部３１が、作業者情報と共に、審査用の審査用画像の要求を書類管理サーバ１０に送信する。
【０１４０】
次に、書類管理サーバ１０は、作業者のレベルを特定する（ステップＳ３１）。具体的には、制御部１１が、作業者データベース１２ｂを参照して、作業者情報に対応して作業者ＩＤに基づき、作業者のレベルを特定する。
【０１４１】
次に、書類管理サーバ１０は、レベルに応じた審査用画像を送信する（ステップＳ３２）。具体的には、制御部１１が、項目の難易度用の登録データベース１２ａを参照して、レベルに応じた項目を特定する。制御部１１が、画像データベース１２ｃを参照して、特定する項目に対応する審査用画像を抽出する。例えば、制御部１１が、初級者の"Ｃ"レベルの作業者に対しては、性別の審査用画像を抽出し、上級者の"Ａ"レベルの作業者に対しては、住所の審査用画像を抽出する。
【０１４２】
特定する項目に対応する審査用画像は、例えば、特定する項目に対応する箇所に開口部以外の記載情報を、一瞥して分かるレベルのレイヤー画像、凝視して分かるレベルのレイヤー画像、判別不可能なレベルのレイヤー画像等により視認性を阻害した画像である。なお、特定する項目に対応する箇所に開口部を設け、要求されるセキュリティレベルに応じた重畳数のレイヤー画像をさらに重畳させてもよい。
【０１４３】
照合端末装置３０の出力部３４において、１の書類の項目に対して他の書類の項目に対応した審査用画像が表示されるように、制御部１１が、包袋ＩＤおよび書類ＩＤと共に、審査用画像を、要求があった照合端末装置３０に送信する。制御部１１が、項目毎に、作業者のレベルと項目の難易度とがマッチするように、審査用画像を各照合端末装置３０に送信する。
【０１４４】
次に、照合端末装置３０は、審査用照明下での審査用画像を出力する（ステップＳ３３）。例えば、審査する場所が、照明装置５からの審査用照明の色の光りのみが照明される状況にされて、制御部３１が、反射型のディプレイの出力部３４の画面に、審査対象ｄである審査用画像を表示する。審査用画像は、出力部１４または、出力部３４により、紙等に印刷された画像でもよい。
【０１４５】
なお、制御部３１が、反射型のディプレイの出力部３４に審査用画像を表示したときのみ、照明装置５からの審査用照明の色の光りのみが照明されるように、照明装置５を制御してもよい。
【０１４６】
図１６Ａに示すように、白色光の場合、記載情報の２分割されている文字が色分けして見える。そのため、視認性が低下する。一方、ナトリウムランプ等による黄色の単色光の場合、緑色の部分が、黒っぽくみて、文字が一体化して見えて記載情報の視認性が向上する。
【０１４７】
図１６Ｂに示すように、白色光の場合、青色の背景色において記載情報の２分割されている文字が、緑色および赤色に色分けして見える。一方、ナトリウムランプ等による黄色の単色光の場合、分割された文字の下部分（赤色だった部分）が、山吹色のような色に見え、さらに、背景色が黒色に見えて、分割された文字の上部分（緑色だった部分）が黒っぽくなって背景色と見分けが難しくなり、視認性が低下する。
【０１４８】
図１６Ｃに示すように、白色光の場合、青色の背景色において記載情報の３分割されている文字が色分けして見える。一方、ナトリウムランプ等による黄色の単色光の場合、背景色が黒色に見えて、３分割された文字の上部分および下部分が黒っぽくなって背景色と見分けが難しくなり、視認性が低下する。３分割された中程の部分のみ山吹色のような色に見えるだけなので、図１６Ｂの場合より、視認性が低下する。
【０１４９】
図１７Ａに示すように、白色光の場合、黒色の背景色において記載情報の２分割されている文字が、緑色および白色に色分けして見える。一方、ナトリウムランプ等による黄色の単色光の場合、分割された文字の下部分（白色だった部分）が黄色に見え、さらに、分割された文字の上部分（緑色だった部分）が黒っぽくなって背景色と見分けが難しくなり、視認性が低下する。
【０１５０】
図１７Ｂに示すように、白色光の場合、黒色の背景色において記載情報の３分割されている文字が色分けして見える。一方、ナトリウムランプ等による黄色の単色光の場合、３分割された文字の中程の部分が黒っぽくなって背景色と見分けが難しくなり、視認性が低下する。図１７Ｃに示すように、黄色の単色光の照明の場合、３分割された中程の部分のみ黄色に見えるだけなので、図１７Ｂの場合より、視認性が低下する。
【０１５１】
図１８に示すように、図１４に示す書類の記載情報にレイヤー画像を重畳した場合、ナトリウムランプ等による黄色の単色光により、氏名欄のレイヤー画像が消えたように見えて、氏名が多少見えやすくなる。住所欄において、レイヤー画像を重畳した部分は、遠目でうっすら文字が見える感じになる。住所欄において、レイヤー画像を重畳してなく、色分けされていた部分は、ナトリウムランプ等による黄色の単色光により、明確に見えるようになる。
【０１５２】
審査用照明の色は、記載情報に対して、視認性が向上する色が好ましい。例えば、図１６Ａにおいては、黄色の単色、図１６Ｂにおいては、白色光が好ましい。
【０１５３】
次に、照合端末装置３０は、審査作業の入力を受け付ける（ステップＳ３４）。作業者が照合を行い、照合結果が正しい場合は、操作部３５により、ＯＫのボタンを選択し、照合結果が正しくない場合は、ＮＧのボタンを選択する。
【０１５４】
次に、照合端末装置３０は、作業結果を送信する（ステップＳ３５）。具体的には、制御部３１が、通信部３３を介して、照合結果の一例である作業結果として、作業者ＩＤ、包袋ＩＤ、項目ＩＤ、審査結果、書類において選択した選択情報等を、書類管理サーバ１０に送信する。
【０１５５】
次に、書類管理サーバ１０は、作業結果を結合する（ステップＳ３６）。具体的には、制御部１１が、作業結果を、各照合端末装置３０から受信する。制御部１１が、各照合端末装置３０から受信した作業結果を、包袋ＩＤ、項目ＩＤ毎に作業結果データベース１２ｄに記憶する。包袋ＩＤ、項目ＩＤ毎に分類されてデータベースが整理されている場合は、結果的に作業結果が結合される。分類整理されていない場合は、制御部１１が、包袋ＩＤ、項目ＩＤに基づき、作業結果を検索して、作業結果を統合する。
【０１５６】
次に、書類管理サーバ１０は、審査結果を登録する（ステップＳ３７）。具体的には、制御部１１が、作業結果データベース１２ｄを参照して、包袋ＩＤに基づき、作業結果を検索し、作業結果から適・不適の情報を集め、審査結果を、審査結果データベース１２ｅに記憶する。
【０１５７】
全ての項目に関して照合作業が終わったら、書類の返却のための書類の確認作業が行われる。書類の不備、審査結果の抜け等が発見された場合、返却書類の照合作業用の端末装置から、作業履歴の確認のため、書類のセットのフロントページのコードを読み込んだ包袋ＩＤ等の情報を、書類管理サーバ１０に送信する。
【０１５８】
書類管理サーバ１０は、作業結果データベース１２ｄを参照して、包袋IＤに基づき、作業結果を抽出し、照合作業用の端末装置に送信する。
【０１５９】
なお、確認作業において、ステップＳ３３のように、確認用の照明の色の下で、視認性を調節して確認作業を行ってもよい。
【０１６０】
図１９Ａに示すように、記載ミスがあり、線で消して、欄外に記載情報が記載されることもある。図１９Ａに示すように、部分的に色を変えてもよい。図１９Ｂに示すように、記載情報を覆う大きさが異なる重畳用パターンを複数重ねたレイヤー画像を、記載箇所に適用してもよい。図１９Ｂに示すように、ナトリウムランプ等による黄色の単色光を当てた場合、レイヤー画像の色が橙色なので、レイヤー画像が消えて、レイヤー画像の空隙の部分の記載情報が浮き彫りになる。
【０１６１】
また、図２０に示すように、記載情報を覆う大きさが異なり、色が異なるレイヤー画像を複数重ねて使用してもよい。例えば、図２０に示すように、青色のレイヤー画像に、これより小さい、赤色のレイヤー画像が重ねられ、さらに、これらより小さい、黄色のレイヤー画像が重ねられる。中心部分が３層重畳したレイヤー画像で、その周辺が２層重畳したレイヤー画像で、さらに周辺が１層のレイヤー画像となる。
【０１６２】
この場合、重畳用パターンにおいて部分的に視認性のレベルが高いところ、または、低いところのように、視認性のレベルの違いがある重畳用パターンを生成できる。また、記載情報毎に記載領域が決まっていて、記載がはみ出した場合も、他の記載領域に対する影響を最小限に抑えて、視認性を調節することができる。レイヤー画像の重畳の度合いを、中心部は高く、周辺部は低くする場合、記載領域の揺らぎを吸収することができる。すなわち、中央部は重畳を多くして視認できないようにし、周辺部は重畳を少なくして、記載領域がずれた場合でも作業者が判読可能にすることができる。
【０１６３】
書類管理サーバ１０は、色つきのレイヤー画像を重ねる際、同じパターンのレイヤー画像を、位置をずらして重ねてもよい。
【０１６４】
以上、本実施形態によれば、記載情報の画像に対して、記載表示を照らす照明装置５の光の色と記載情報に要求される視認性のレベルとに応じて決定された色に、記載情報の色を変更することにより、審査対象ｄが置かれた照明の環境に応じて、視認性を調節できる。
【０１６５】
また、セキュリティを高めたい場合、視認性を低下させる、記載表示の色と照明の色との組み合わせにより、セキュリティを向上できる。
【０１６６】
例えば、図１６Ａから図１６Ｃ、図１７Ａから図１７Ｃに示すように、記載情報を複数の色で色分けした記載表示に変更する場合、記載情報の色分けにより、記載情報の見え方が部分的に変化し、さらに、照明装置５の光の色により、色分けが強調されたり、逆に色分けの色の差が少くなったりすることにより、記載情報の視認性を調整できる。
【０１６７】
例えば、図１６Ａから図１６Ｃ、図１７Ａから図１７Ｃに示すように、記載情報を分割し、分割された記載情報を複数の色で色分けした記載表示に変更する場合、記載情報が分断され、分断により見え方が変わる。また、視認性を調整できる。
【０１６８】
例えば、図１４、図１８、図１９Ｂに示すように、空隙を有し、対象物に記載された記載情報を覆い、少なくとも１の色で形成された重畳用パターン（例えば、レイヤー画像）を複数生成し、複数の重畳用パターンで記載情報を覆う場合には重ねて使用する前記重畳用パターンを、記載情報に要求される視認性のレベルおよび照明装置５の光の色に応じて少なくとも一つ選択し、選択した重畳用パターンにより記載情報を覆って、記載情報の視認性を調節する場合、記載情報に被せることにより、更に、視認性を調整できる。また、照明装置５の光の色により、重畳用パターンと記載情報とのコントラストが強調されたり、逆にコントラストが減少したり、記載情報の視認性を調整できる。また、多色の重畳用パターンの場合、照明装置５の光の色により、重畳用パターンの各色に応じて、部分的に見え方が異なり、重畳用パターンのマスクする機能が視覚上強調されたり、強調されなかったりすることで、記載情報の視認性を調整できる。
【０１６９】
重畳用パターンが、少なくとも１の色で形成されたパターンであり、記載情報に要求される視認性のレベルに応じて、少なくとも１の色で形成されたパターンを少なくとも一つ選択する場合、重畳用パターンの色によっても視認性を調整できる。従って、視認性の調整の幅が広がる。また、視認性の段階をより細かく設定できる。例えば、黒色以外の有色の重畳パターンにより、単色（例えば、黒色）の重畳用パターンのみの場合に比較して、視認性の段階を一部、埋めることができる。
【０１７０】
重畳用パターンが、複数の色のうち１の色で形成されたパターンであり、複数の重畳用パターンで記載情報を覆う場合には重ねて使用する重畳用パターンを、記載情報に要求される視認性のレベルおよび照明装置５の光の色に応じて、重畳用パターンの色に基づき、少なくとも一つ選択する場合、重畳用パターンを１層付加する際に、または、１層除去する際に、重畳用パターンの有する色により、視認性を調整できる。
【０１７１】
また、作業者が簡単に認識できない程度に、重畳用パターンを重畳して、個人情報等の視認性を阻害することで作業者の記憶に基づく情報漏洩を防ぐことができる。
【０１７２】
また、黒塗りや画像の分割では、設定領域の制御を誤ると作業者がデータを処理することができないが、凝視すれば見える程度ならば、前の工程を戻さずに、その場で、作業を進行することができる。
【０１７３】
また、重畳した重畳用パターンの加除により、高いセキュリティが必要なものは重畳用パターンの重畳数を増やし、低いセキュリティのものは重畳用パターンの重畳数を減らして作業効率を上げる事が可能となる。
【０１７４】
また、例えば、図１４、図１８に示すように、対象物に記載されている複数の記載情報において異なる視認性のレベルが設定されているとき、記載情報毎に設定されている視認性のレベルに応じて、重畳用パターンを選択し、記載情報毎の視認性を調節する場合、書類（対象物の一例）に記載されている複数の記載情報において異なる視認性のレベルが設定されている場合、記載情報毎に設定されている視認性のレベルに応じて、重畳用パターンを選択し、記載情報毎の視認性を調節すると、書類の記載情報の位置関係を把握できる状態で、記載情報毎に視認性を調節できる。
【０１７５】
また、重畳用パターンが、記号が並べられた画像である場合、記号に目が行き、一見して、より読みにくくなる。
【０１７６】
書類（対象物の一例）に記載されている複数の記載情報において異なる視認性のレベルが設定されている場合、記載情報毎に設定されている視認性のレベルに応じて、重畳用パターンを選択し、記載情報毎の視認性を調節すると、書類の記載情報の位置関係を把握できる状態で、記載情報毎に視認性を調節できる。
【０１７７】
記載情報に重畳用パターンを重ねたときの視認性を判定し、視認性の判定に基づき、重畳用パターンを選択する場合、記載情報に合わせた視認性のレベルを的確に設定できる。特に人間が行う判定結果を反映させる場合、人間により細かな視認性レベルの調整ができる。
【０１７８】
対象物が、所定の形式に従って項目内容が記載されている書類である場合、書類の項目内容に応じて、視認性を調節することができる。
【０１７９】
（３．１  対象物の変形例）
次に、対象物の変形例について、図を用いて説明する。
【０１８０】
まず、対象物が、回数限定の乗車回数券等のチケットの場合について、図２１Ａから図２５Ｃを用いて説明する。
【０１８１】
図２１Ａから図２１Ｃは、対象物の変形例を示す模式図である。図２２Ａから図２２Ｃは、視認性を阻害した対象物の変形例を示す模式図である。図２３Ａから図２５Ｃは、色つきのレイヤー画像により視認性を阻害した対象物の変形例を示す模式図である。
【０１８２】
図２１Ａから図２１Ｃに示すように、使用回数が増加する毎に、チケット主がどのように利用したかの個人情報が増加していく。
【０１８３】
図２２Ａに示すように、２回使用して、使用区間が記載された場合、例えば、２層の黒色のレイヤー画像が重畳され、凝視したら分かる程度に視認性が阻害されてもよい。
【０１８４】
図２２Ｂに示すように、３回使用して、使用区間が記載された場合、さらに黒色のレイヤー画像が１層追加で重畳され、よく凝視したら分かる程度に視認性が阻害されてもよい。
【０１８５】
図２０Ｃに示すように、４回使用して、使用区間が記載された場合、さらに黒色のレイヤー画像が１層追加で重畳され、判別不可能に視認性が阻害されてもよい。
【０１８６】
これらの白色光の場合に対して、ナトリウムランプ等による黄色の単色光の場合、黒色の文字に対して、黒色のレイヤー画像なので、視認性はあまり変わらない。
【０１８７】
次に、ナトリウムランプ等による黄色の単色光により、レイヤー画像の色と記載情報の色と、ほぼ同じになり、記載情報がレイヤー画像に埋没したように見える実施例について説明する。
【０１８８】
図２３Ａに示すように、色つきの重畳用パターンを２重に重畳した一例として、緑色のレイヤー画像の上に、青色のレイヤー画像を重畳した場合、白色光の下では、記載情報が黒色なので、記載情報の色と異なる色つきの重畳用パターンが重畳されても、視認性が多少阻害されている程度である。
【０１８９】
ナトリウムランプ等による黄色の単色光の場合、図２３Ａに示すように、記載情報の色と、色つきの重畳用パターンの色とが、黒色という同系色になるため、白色光の場合に比べて、記載情報が読みにくくなる。
【０１９０】
図２３Ｂに示すように、さらに、青緑色のレイヤー画像を重畳して、３層に重畳した場合、白色光の下では、レイヤー画像が増えた分、視認性が阻害されて、視認性が低下して、凝視すると記載内容が見える程度になる。
【０１９１】
ナトリウムランプ等による黄色の単色光の場合、図２３Ｂに示すように、記載情報の色と、色つきの重畳用パターンの色とが、黒色という同系色になるため、白色光の場合に比べて、記載情報が読みにくくなり、凝視しても見えにくくなる。
【０１９２】
図２３Ｃに示すように、さらに、青色のレイヤー画像を重畳して、４層に重畳した場合、白色光の下では、レイヤー画像が増えた分、さらに、視認性が阻害され、凝視して辛うじて判読できそうな視認性のレベルである。
【０１９３】
ナトリウムランプ等による黄色の単色光の場合、図２３Ｃに示すように、記載情報の色と、色つきの重畳用パターンの色とが、黒色という同系色になるため、判読不可能になる。
【０１９４】
次に、ナトリウムランプ等による黄色の単色光により、レイヤー画像が消えたように見える実施例について説明する。
【０１９５】
図２４Ａに示すように、色つきの重畳用パターンを２重に重畳した一例として、赤色のレイヤー画像の上に、黄色のレイヤー画像を重畳した場合、白色光の下では、記載情報が黒色なので、記載情報の色と異なる色つきの重畳用パターンが重畳されても、視認性が多少阻害されている程度である。
【０１９６】
ナトリウムランプ等による黄色の単色光の場合、図２４Ａに示すように、レイヤー画像が消えたようになり、白色光の場合に比べて、記載情報が読みやすくなる。
【０１９７】
図２４Ｂに示すように、さらに、橙色のレイヤー画像を重畳して、３層に重畳した場合、白色光の下では、レイヤー画像が増えた分、視認性が阻害されて、視認性が低下して、凝視すると記載内容が見える程度になる。記載情報の色とレイヤー画像の色とにコントラストがある分、図２３Ｂの場合に比べて、視認性がよくなっている。
【０１９８】
ナトリウムランプ等による黄色の単色光の場合、図２４Ｂに示すように、レイヤー画像が消えたようになり、白色光の場合に比べて、記載情報が読みやすくなる。
【０１９９】
図２４Ｃに示すように、さらに、黄色のレイヤー画像を重畳して、４層に重畳した場合、白色光の下では、レイヤー画像が増えた分、さらに、視認性が阻害され、凝視して辛うじて判読できそうな視認性のレベルである。記載情報の色とレイヤー画像の色とにコントラストがある分、図２３Ｃの場合に比べて、視認性がよくなっている。
【０２００】
ナトリウムランプ等による黄色の単色光の場合、図２４Ｃに示すように、レイヤー画像が消えたようになり、白色光の場合に比べて、凝視すると、記載情報が判読できる視認性のレベルである。
【０２０１】
次に、ナトリウムランプ等による黄色の単色光により、レイヤー画像が部分的に消えたように見える実施例について説明する。
【０２０２】
図２５Ａに示すように、色つきの重畳用パターンを２重に重畳した一例として、緑色のレイヤー画像の上に、橙色のレイヤー画像を重畳した場合、白色光の下では、記載情報が黒色なので、記載情報の色と異なる色つきの重畳用パターンが重畳されても、視認性が多少阻害されている程度である。
【０２０３】
ナトリウムランプ等による黄色の単色光の場合、図２５Ａに示すように、レイヤー画像が一部消え、一部残ったように見えるので、白色光の場合に比べて、記載情報が読みにくくなる。
【０２０４】
図２５Ｂに示すように、さらに、赤色のレイヤー画像を重畳して、３層に重畳した場合、白色光の下では、レイヤー画像が増えた分、視認性が阻害されて、視認性が低下して、凝視すると記載内容が見える程度になる。
【０２０５】
ナトリウムランプ等による黄色の単色光の場合、図２５Ｂに示すように、レイヤー画像が一部消え、一部残ったように見えるので、白色光の場合に比べて、記載情報が読みにくくなる。
【０２０６】
図２５Ｃに示すように、さらに、紫色のレイヤー画像を重畳して、４層に重畳した場合、白色光の下では、レイヤー画像が増えた分、さらに、視認性が阻害され、凝視して辛うじて判読できそうな視認性のレベルである。
【０２０７】
ナトリウムランプ等による黄色の単色光の場合、図２５Ｃに示すように、部分的に判読できたり、判読できなかったりの視認性のレベルになる。
【０２０８】
また、色つきのレイヤー画像により、視認性の段階をより細かく設定できる。例えば、黒色以外の有色の重畳パターンにより、単色（例えば、黒色）の重畳用パターンのみの場合に比較して、視認性の段階を一部、埋めることができる。個人差があるが、視認性が高い順に並べると、例えば、図２３Ａの白色光の場合、図２３Ｂの白色光の場合、図２２Ａの白色光の場合、図２２Ｂの白色光の場合、図２３Ｃの白色光の場合、図２２Ｃの白色光の場合のような順になる。
【０２０９】
初期の乗車履歴は、所持者の行動を知る上で重要な情報は無いが、中期、後期と乗車履歴が増加するに従い、乗車履歴から所持者の行動パターンが判読できるようになり、秘匿情報としての重要性が増加する。一方、チケットに乗車履歴が記載されていると、所持者本人にとっては、どこで乗降したかが分かるため利便性が高い。
【０２１０】
本願では、秘匿情報としての重要性の変化に応じて、一瞥して分かるレベルに視認性を阻害したり、凝視して分かるレベルに視認性を阻害したり、よく凝視したら分かるレベルに視認性を阻害したり、判別不可能なレベルに視認性を阻害したり、というように視認性のレベルを変えることで、情報のセキュリティと所持者の利便性とのトレードオフの関係を解決している。しかも、現有の簡単な印刷システムにより実現可能である。
【０２１１】
対象物に記載されている記載情報が変化する場合、当該変化した記載内容の視認性のレベルに応じて、重畳用パターンを選択し、変化する記載情報に応じて視認性を調節することにより、記載内容が追加して増えて行く等、記載内容が変化して行く場合でも、記載情報の変化に応じて、視認性を調節できる。また、記載情報の変化に応じて、セキュリティのレベルを変えることができる。
【０２１２】
次に、書類がアンケートの場合について、図２６Ａから図２６Ｃを用いて説明する。
【０２１３】
図２６Ａから図２６Ｃは、色つきのレイヤー画像により視認性を阻害した対象物の変形例を示す模式図である。
【０２１４】
図２６Ａから図２６Ｃに示すように、アンケートの回答欄の部分に、色つきのレイヤー画像を重畳してもよい。
【０２１５】
図２６Ａから図２６Ｃに示すように、白色光の場合、レイヤー画像の重畳の数が増す毎に、視認性が低下する。なお、例えば、図２６Ａに示すように、赤色のレイヤー画像を重畳し、図２６Ｂに示すように、緑色のレイヤー画像を更に重畳し、図２６Ｃに示すように、青色のレイヤー画像を更に重畳している。
【０２１６】
また、ナトリウムランプ等による黄色の単色光の場合、赤色のレイヤー画像の色が、山吹色のような色のように見え、緑色のレイヤー画像および青色のレイヤー画像は、黒っぽい色に見える。
【０２１７】
なお、対象物の一例である書類の場合、氏名、住所等の項目毎に、作業者毎に、または、工程毎等に、要求される視認性のレベルは異なる。対象物の一例であるアンケートの場合、マーク箇所の視認性を阻害する箇所と氏名等の視認性を阻害して判読できないようにする視認性のレベルは異なる。対象物の一例である乗車券の場合、使用回数により、要求される視認性のレベルは異なる。
【０２１８】
これらのように、要求される視認性のレベルが異なっても、対象となる作業や用途に合わせて、最適な重畳用パターンの重畳数を選定し、記載情報の視認性のレベルが調節できる。
【０２１９】
さらに、本発明は、上記各実施形態に限定されるものでは無い。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０２２０】
１：書類管理システム
５：照明装置（照明手段）
１０：書類管理サーバ（表示調整装置）
１１：制御部
【図１】
2018180273.tif 000003
【図２】
2018180273.tif 000004
【図３】
2018180273.tif 000005
【図４】
2018180273.tif 000006
【図５】
2018180273.tif 000007
【図６】
2018180273.tif 000008
【図７】
2018180273.tif 000009
【図８】
2018180273.tif 000010
【図９】
2018180273.tif 000011
【図１０】
2018180273.tif 000012
【図１１Ａ】
2018180273.tif 000013
【図１１Ｂ】
2018180273.tif 000014
【図１１Ｃ】
2018180273.tif 000015
【図１１Ｄ】
2018180273.tif 000016
【図１２Ａ】
2018180273.tif 000017
【図１２Ｂ】
2018180273.tif 000018
【図１２Ｃ】
2018180273.tif 000019
【図１２Ｄ】
2018180273.tif 000020
【図１３Ａ】
2018180273.tif 000021
【図１３Ｂ】
2018180273.tif 000022
【図１３Ｃ】
2018180273.tif 000023
【図１４】
2018180273.tif 000024
【図１５】
2018180273.tif 000025
【図１６Ａ】
2018180273.tif 000026
【図１６Ｂ】
2018180273.tif 000027
【図１６Ｃ】
2018180273.tif 000028
【図１７Ａ】
2018180273.tif 000029
【図１７Ｂ】
2018180273.tif 000030
【図１７Ｃ】
2018180273.tif 000031
【図１８】
2018180273.tif 000032
【図１９Ａ】
2018180273.tif 000033
【図１９Ｂ】
2018180273.tif 000034
【図２０】
2018180273.tif 000035
【図２１Ａ】
2018180273.tif 000036
【図２１Ｂ】
2018180273.tif 000037
【図２１Ｃ】
2018180273.tif 000038
【図２２Ａ】
2018180273.tif 000039
【図２２Ｂ】
2018180273.tif 000040
【図２２Ｃ】
2018180273.tif 000041
【図２３Ａ】
2018180273.tif 000042
【図２３Ｂ】
2018180273.tif 000043
【図２３Ｃ】
2018180273.tif 000044
【図２４Ａ】
2018180273.tif 000045
【図２４Ｂ】
2018180273.tif 000046
【図２４Ｃ】
2018180273.tif 000047
【図２５Ａ】
2018180273.tif 000048
【図２５Ｂ】
2018180273.tif 000049
【図２５Ｃ】
2018180273.tif 000050
【図２６Ａ】
2018180273.tif 000051
【図２６Ｂ】
2018180273.tif 000052
【図２６Ｃ】
2018180273.tif 000053